(57)【特許請求の範囲】
【請求項１】
回転軸方向に向かってスライド自在に設置されるシャフトと、
前記シャフトに取り付けられ両面にそれぞれ第１，第２クラッチ部を形成してなるクラッチ部材と、
前記クラッチ部材の第１クラッチ部に対向する位置に第１クラッチ係合部を設けてなる第１回転体と、
前記クラッチ部材の第２クラッチ部に対向する位置に第２クラッチ係合部を設けてなる第２回転体と、
前記第１回転体の回転に応じて検出出力を変化する第１検出手段と、
前記第２回転体の回転に応じて検出出力を変化する第２検出手段と、を具備し、
前記シャフトを第１回転体側にスライド移動した際は第１クラッチ部と第１クラッチ係合部が係合して第１検出手段を操作可能とし、
前記シャフトを第２回転体側にスライド移動した際は第２クラッチ部と第２クラッチ係合部が係合して第２検出手段を操作可能としてなる回転式電子部品であって、
前記クラッチ部材の第１，第２クラッチ部は、それぞれこのクラッチ部材の両面からその回転軸方向に向かって形成されており、
一方前記第１検出手段を構成する第１回路基板と前記第２検出手段を構成する第２回路基板とを回転軸方向に積層して配置すると共に、前記第１回転体を前記第２回路基板に設けた開口内に設置し、
さらに、前記第２回路基板の開口の周囲の前記第１回路基板に対向する側の面に設けた第１クリック弾接部に、前記第１回転体に取り付けたクリック弾接体のクリック部を弾接させることで構成される第１クリック機構と、
前記第２回転体を収納するケースに設けられる第２クリック弾接部と、前記第２回転体に設置される弾発部材と、この弾発部材によって弾発されて前記第２クリック弾接部に弾接されるクリック体とによって構成される第２クリック機構とを具備することを特徴とする回転式電子部品。
【請求項２】
請求項１に記載の回転式電子部品であって、
前記クラッチ部材の第１クラッチ部は、第２クラッチ部より径方向に対して内側に設けられていることを特徴とする回転式電子部品。
【請求項３】
請求項１又は２に記載の回転式電子部品であって、
前記シャフトを前記第１回路基板に設けた開口部内に挿入するとともに挿入したシャフトの外周に回転軸方向に向かって延伸され且つ径方向に向かって突出する位置決め部を設け、この位置決め部にその外周側から位置決め用弾発手段を弾接させることで、第１クラッチ部と第１クラッチ係合部が係合する第１シャフト停止位置と、第２クラッチ部と第２クラッチ係合部が係合する第２シャフト停止位置にシャフトを停止保持させ、
さらに前記クラッチ部材と第１回転体と第２回転体を中空としたことを特徴とする回転式電子部品。
【請求項４】
請求項１又は２に記載の回転式電子部品であって、
前記クラッチ部材の外周部を位置決め用弾接部とし、且つ前記第２回転体と第２回路基板の間に回転軸方向に向かって延伸され且つ半径方向に向かって突出して前記位置決め用弾接部に弾接する弾性部材からなる位置決め部材を設置することで、第１クラッチ部と第１クラッチ係合部が係合する第１シャフト停止位置と、第２クラッチ部と第２クラッチ係合部が係合する第２シャフト停止位置にシャフトを停止保持させ、
さらに前記クラッチ部材と第１回転体と第２回転体を中空としたことを特徴とする回転式電子部品。
【発明の詳細な説明】
【技術分野】
【０００１】
本発明は、上下に配置した２つの検出手段をシャフトによって切り換えて操作する二段操作型の回転式電子部品に関するものである。
【背景技術】
【０００２】
従来、回転式電子部品の中には、例えば特許文献１の図５に示すように、シャフト（２００）を上下動自在に構成し、シャフト（２００）を上方に引っ張った位置で回転すると一方の回転式電子部品（５０）が操作でき、シャフト（２００）を下方に押し込んだ位置で回転すると他方の回転式電子部品（８０）が操作できる構造のものがある。
【先行技術文献】
【特許文献】
【０００３】
【特許文献１】特開平１０−１９９７１１号公報
【発明の概要】
【発明が解決しようとする課題】
【０００４】
しかしながら上記構造の回転式電子部品には以下のような問題点があった。
（１）上下に略同一構造の２つの回転式電子部品（５０），（８０）を積層して配置するので、上下方向（回転軸方向）の寸法が大きくなり、回転式電子部品全体の厚み方向の小型化が図れない。
【０００５】
（２）上下の回転式電子部品（５０），（８０）の切り換えは、シャフト（２００）に取り付けたクラッチ部材（２０５）の外周と、回転式電子部品（５０），（８０）中央の貫通孔の内周面に設けた係合部（６３），（９３）との係合・離脱によって行う構成のため、外径寸法が大きくなり、回転式電子部品全体の径方向の小型化が図れない。
【０００６】
本発明は上述の点に鑑みてなされたものでありその目的は、厚み方向と径方向の小型化を図ることができるシャフトによる二段操作型の回転式電子部品を提供することにある。
【課題を解決するための手段】
【０００７】
本発明は、回転軸方向に向かってスライド自在に設置されるシャフトと、前記シャフトに取り付けられ両面にそれぞれ第１，第２クラッチ部を形成してなるクラッチ部材と、前記クラッチ部材の第１クラッチ部に対向する位置に第１クラッチ係合部を設けてなる第１回転体と、前記クラッチ部材の第２クラッチ部に対向する位置に第２クラッチ係合部を設けてなる第２回転体と、前記第１回転体の回転に応じて検出出力を変化する第１検出手段と、前記第２回転体の回転に応じて検出出力を変化する第２検出手段と、を具備し、前記シャフトを第１回転体側にスライド移動した際は第１クラッチ部と第１クラッチ係合部が係合して第１検出手段を操作可能とし、前記シャフトを第２回転体側にスライド移動した際は第２クラッチ部と第２クラッチ係合部が係合して第２検出手段を操作可能としてなる回転式電子部品であって、前記クラッチ部材の第１，第２クラッチ部を、それぞれこのクラッチ部材の両面からその回転軸方向に向かって形成し、一方前記第１検出手段を構成する第１回路基板と前記第２検出手段を構成する第２回路基板とを回転軸方向に積層して配置すると共に、前記第１回転体を前記第２回路基板に設けた開口内に設置し、さらに、前記第２回路基板の開口の周囲の前記第１回路基板に対向する側の面に設けた第１クリック弾接部に、前記第１回転体に取り付けたクリック弾接体のクリック部を弾接させることで構成される第１クリック機構と、前記第２回転体を収納するケースに設けられる第２クリック弾接部と、前記第２回転体に設置される弾発部材と、この弾発部材によって弾発されて前記第２クリック弾接部に弾接されるクリック体とによって構成される第２クリック機構とを具備する。
以上のように第１回転体を第２回路基板に設けた開口内に設置したので、回転式電子部品の厚み方向の小型化を図ることができる。また第１，第２クラッチ部を何れも回転軸方向に向かって形成したので、これら第１，第２クラッチ部及び第１，第２クラッチ係合部が径方向に向けて広がらず、このため回転式電子部品の径方向の小型化を図ることができる。
また、第１クリック機構は第１回転体の周囲の第２回路基板の面に形成される第１クリック弾接部に、第１回転体に取り付けたクリック弾接体のクリック部を弾接させるので、クリック機構を設置するための厚みを薄くできる。一方第２クリック機構は第２回転体を収納するケースに設けた第２クリック弾接部に、弾発部材によってクリック体を弾接する構造なので、そのクリック感触を前記第１クリック機構に比べてより好適な感触にすることができる。しかも第２クリック機構は上下動するクラッチ部材のために必要なストロークの範囲内に収めることができるので、第２クリック機構を設置することによって厚みが増加することもない。
【０００８】
前記クラッチ部材の第１クラッチ部は、第２クラッチ部より径方向に対して内側に設けられていることが好ましい。これによって第１クラッチ部を小径に構成できるので、これに係合する第１クラッチ係合部を有する第１回転体も小径化でき、さらに第１回転体を内包する第２回路基板もクラッチ部材の外径の大きさに左右されることなく小径化でき、これらのことから回転式電子部品の径方向の小型化を図ることができる。
【００１０】
また前記シャフトを前記第１回路基板に設けた開口部内に挿入するとともに挿入したシャフトの外周に回転軸方向に向かって延伸され且つ径方向に向かって突出する位置決め部を設け、この位置決め部にその外周側から位置決め用弾発手段を弾接させることで、第１クラッチ部と第１クラッチ係合部が係合する第１シャフト停止位置と、第２クラッチ部と第２クラッチ係合部が係合する第２シャフト停止位置にシャフトを停止保持させ、さらに前記クラッチ部材と第１回転体と第２回転体を中空とすることが好ましい。これによってシャフトのストローク分だけ離れた位置にある第１，第２シャフト停止位置に確実にシャフトを停止保持させることができる。また中空としたクラッチ部材と第１回転体と第２回転体内に別の部品を収納することができる。
【００１１】
また前記クラッチ部材の外周部を位置決め用弾接部とし、且つ前記第２回転体と第２回路基板の間に回転軸方向に向かって延伸され且つ半径方向に向かって突出して前記位置決め用弾接部に弾接する弾性部材からなる位置決め部材を設置することで、第１クラッチ部と第１クラッチ係合部が係合する第１シャフト停止位置と、第２クラッチ部と第２クラッチ係合部が係合する第２シャフト停止位置にシャフトを停止保持させ、さらに前記クラッチ部材と第１回転体と第２回転体を中空とすることが好ましい。これによってシャフトのストローク分だけ離れた位置にある第１，第２シャフト停止位置に確実にシャフトを停止保持させることができる。特にこの発明ではシャフト停止機構を第２回転体と第２回路基板の間に設置したので、電子部品の厚みの薄型化が図れる。また中空としたクラッチ部材と第１回転体と第２回転体内に別の部品を収納することができる。
【発明の効果】
【００１２】
本発明によれば、シャフトによる二段操作型の回転式電子部品の厚み方向と径方向の小型化を図ることができる。
【図面の簡単な説明】
【００１３】
【図１】回転式電子部品１−１の斜視図である。
【図２】回転式電子部品１−１を下側から見た斜視図である。
【図３】図１のＡ−Ａ概略断面図である。
【図４】回転式電子部品１−１の上側の部品を示す分解斜視図である。
【図５】回転式電子部品１−１の下側の部品を示す分解斜視図である。
【図６】回転式電子部品１−１を下側から見たときの上側の部品を示す分解斜視図である。
【図７】回転式電子部品１−１を下側から見たときの下側の部品を示す分解斜視図である。
【図８】回転式電子部品１−１の動作説明図である。
【図９】回転式電子部品１−２の斜視図である。
【図１０】回転式電子部品１−２を下側から見た斜視図である。
【図１１】図９のＢ−Ｂ概略断面図である。
【図１２】回転式電子部品１−２の上側の部品を示す分解斜視図である。
【図１３】回転式電子部品１−２の下側の部品を示す分解斜視図である。
【図１４】回転式電子部品１−２を下側から見たときの上側の部品を示す分解斜視図である。
【図１５】回転式電子部品１−２を下側から見たときの下側の部品を示す分解斜視図である。
【発明を実施するための形態】
【００１４】
以下、本発明の実施形態を図面を参照して詳細に説明する。
〔第１実施形態〕
図１は本発明の第１実施形態にかかる回転式電子部品１−１の斜視図、図２は回転式電子部品１−１を下側から見た斜視図、図３は図１のＡ−Ａ概略断面図、図４は回転式電子部品１−１の上側の部品を示す分解斜視図、図５は回転式電子部品１−１の下側の部品を示す分解斜視図、図６は回転式電子部品１−１を下側から見たときの上側の部品を示す分解斜視図、図７は回転式電子部品１−１を下側から見たときの下側の部品を示す分解斜視図である。なお図３における各部品の断面の位置は図示の都合上異なっている部分がある。また以下の説明において、「上」とは第１回路基板２７０から第２回路基板２１０を見る方向をいい、「下」とはその反対方向をいうものとする。
【００１５】
これらの図に示すように回転式電子部品１−１は、第１シャフト１０と、回転つまみ３０と、ケース５０と、第２回転体６０と、第２検出手段となる摺動子８０と、クラッチ部材９０と、第２シャフト１１０と、第１回転体１３０と、クリック弾接体（以下「クリック板」という）１５０と、第１検出手段となる摺動子１７０と、第２回路基板２１０を構成する第２フレキシブル回路基板１８０及び第２基板支持体１９０と、第１回路基板２７０を構成する第１フレキシブル回路基板２３０及び第１基板支持体２５０と、第２回転体６０に設置されるクリック体（以下「クリック用ボール」という）２９０及び弾発手段（以下「コイルバネ」という）３００と、第１基板支持体２５０に設置される位置決め用弾発手段（以下「位置決め用ボール」という）３１０及び弾発部材（以下「コイルバネ」という）３２０と、を具備して構成されている。
【００１６】
第１シャフト１０は合成樹脂製であり、円板状の上面板１１の中央に開口１３を設け、上面板１１の下面の開口１３の周囲から下方に向けて筒状の突部１５を設け、突部１５の下端辺に４つの小突起からなる係合部１７を設けて構成されている。
【００１７】
回転つまみ３０は合成樹脂製であり、円板状の上面板３１の周囲に筒状の側壁部３３を設け、また上面板３１の中央に開口３５を設け、上面板３１の下面の開口３５の周囲から下方に向けて筒状の軸部３７を設け、軸部３７の下端辺に５つの小突起からなる取付部３９を設けて構成されている。上面板３１の上部は、側壁部３３の上部によって囲まれる凹部４１となっている。
【００１８】
ケース５０は合成樹脂製であり、円板状の上面板５１の中央に軸支孔５３を設け、上面板５１の周囲に筒状の側壁部５５を設け、側壁部５５の下端辺に４つの小突起からなる係止部５７を設け、上面板５１の下面の軸支孔５３の周囲にリング状に多数の凹凸からなる第２クリック弾接部５９を設けて構成されている。
【００１９】
第２回転体６０は合成樹脂製であり、円板状の上面板６１の中央に軸支孔６３を設け、上面板６１の周囲に筒状の側壁部６５を設け、また側壁部６５の内周面の一部を突出してその下面に摺動子取付部６７を設け、また上面板６１の上面の外周近傍の所定位置に円形有底の穴からなる弾発部材収納部６９を設けて構成されている。さらに上面板６１の軸支孔６３の内周辺には、多数の同一形状の凹凸を全周に形成してなる第２クラッチ係合部７１が形成されている。摺動子取付部６７には２つの小突起７３が設けられている。
【００２０】
摺動子８０は弾性金属板製であり、基部８１と基部の１辺から突出して基部８１の下面側に折り曲げられる一対の摺動接点８３とを有し、また基部８１に２つの小孔８５を形成して構成されている。摺動子８０は下記する摺接パターン１８３とともに第２検出手段を構成する。
【００２１】
クラッチ部材９０は合成樹脂の成形品であり、円板状であってその中央に円形の貫通孔からなる挿通孔９１を設け、またその上面の外周近傍部分には全周にわたって等間隔に５つの突起からなる第２クラッチ部９３が設けられ、一方その下面の外周よりも少し径方向内側位置には全周にわたって等間隔に５つの突起からなる第１クラッチ部９５が設けられ、さらに前記各第２クラッチ部９３の径方向内側位置には矩形状の貫通孔からなる取付孔９７が設けられている。つまり第１クラッチ部９５は第２クラッチ部９３より径方向に対して内側に設けられている。
【００２２】
第２シャフト１１０は合成樹脂製であり、円板状の上面板１１１の中央に上下に貫通する開口１１３を設け、上面板１１１の下面の開口１１３の周囲から下方に向けて筒状の突部１１５を設け、さらに突部１１５の下端に略Ｔ字状の柱からなる突出部１１７を設けて構成されている。上面板１１１の外周近傍位置には４つの矩形状の貫通孔からなる被取付部１１９が設けられている。また突出部１１７の一側面（突部１１５の外周面に略沿っている面、Ｔ字の横棒の部分）は位置決め部１２１となっている。位置決め部１２１は、回転軸Ｌ方向に向かって延伸され且つ径方向外側に向かって突出する１つの略円弧状に形成されている。
【００２３】
第１回転体１３０は合成樹脂製であって略円板状に形成され、その中央に貫通孔１３１を形成し、その上面の外周近傍位置に等間隔に突部からなる第１クラッチ係合部１３３を形成し、また上面の第１クラッチ係合部１３３の内側部分に凹部１３５を設け、またその下面の外周よりも内側の部分を下方向に突出することで両者の間に段部１３７を形成し、段部１３７の内側の部分を取付面１３９として構成されている。第１クラッチ係合部１３３は径方向に向かって放射状で直線状に形成され、前記クラッチ部材９０の第１クラッチ部９５に対向する位置にこれとかみ合うように形成されている。段部１３７の外側の下面は載置部１４１となっている。取付面１３９には２つずつ３組の小突起からなる取付突起１４３が設けられている。
【００２４】
クリック板１５０は弾性金属板製であり、前記第１回転体１３０の下面の取付面１３９に取り付けられるクリック基部１５１と、クリック基部１５１の外周を囲む位置に設置される一対の円弧状のアーム部１５３とを具備して構成されている。アーム部１５３の両端はクリック基部１５１の外周に接続されており、また両アーム部１５３の中央には上方向に向かって突出するように湾曲するクリック部１５５が設けられている。クリック基部１５１の中央には円形の貫通孔１５７が設けられ、またクリック基部１５１中の前記第１回転体１３０の各取付突起１４３に対向する位置には小孔からなる取付孔１５９が形成されている。
【００２５】
摺動子１７０は弾性金属板製でありリング状に形成され、等間隔の３か所には小孔からなる取付孔１７１が設けられ、また等間隔の３か所には摺接部１７３が設けられている。摺動子１７０は下記する第１フレキシブル回路基板２３０の摺接パターン２３３とともに第１検出手段を構成する。
【００２６】
第２フレキシブル回路基板１８０は合成樹脂フイルムを略円板状に形成し、中央に開口１８１を設け、その上面の開口１８１の周囲に摺接パターン１８３を設け、さらに所定の４か所に矩形状の取付孔１８５を設けて構成されている。摺接パターン１８３には前記摺動子８０の摺動接点８３が摺接する。取付孔１８５には前記ケース５０の係止部５７が挿入される。
【００２７】
第２基板支持体１９０は合成樹脂製の円板であり、中央に円形の開口１９１を設け、また前記第２フレキシブル回路基板１８０の各取付孔１８５に対向する位置に同一形状の取付孔１９２を設け、またその下面の開口１９１の周囲にこれを囲むようにリング状に第１クリック弾接部１９３を設け、またその下面の第１クリック弾接部１９３の周囲の位置に等間隔に４つの小突起状の取付突起１９５を設けて構成されている。第２基板支持体１９０の開口１９１内には上部の内径より下部の内径を小さくすることで、階段状の第１回転体載置部１９７が形成されている。
【００２８】
第１フレキシブル回路基板２３０は合成樹脂フイルムを略円板状に形成し、中央に開口部２３１を設け、その上面の開口部２３１の周囲に摺接パターン２３３を設け、さらに前記第２基板支持体１９０の取付突起１９５に対向する位置にそれぞれ取付孔２３５を設けて構成されている。摺接パターン２３３には前記摺動子１７０の摺接部１７３が摺接する。
【００２９】
第１基板支持体２５０は合成樹脂製の円板であり、中央に円形の開口部２５１を設け、また前記第１フレキシブル回路基板２３０の各取付孔２３５に対向する位置にこれと同じ形状の取付孔２５３を設け、またその下面の開口部２５１の周囲を囲む位置には穴状の弾発手段収納部２５５を設けている。弾発手段収納部２５５はその穴の中心軸が第１基板支持体２５０の下面に平行であり、その出口が開口部２５１側（中心側）を向いている。
【００３０】
クリック用ボール２９０と位置決め用ボール３１０は何れも金属球であり、また両コイルバネ３００，３２０はこれらを弾発するものである。
【００３１】
回転式電子部品１−１を組み立てるには、まず予め第２回転体６０の摺動子取付部６７に摺動子８０を載置し、その際第２回転体６０の小突起７３を摺動子８０の小孔８５に挿入し、少なくとも一方の小突起８５を熱かしめして取り付ける。
【００３２】
一方、第２基板支持体１９０上に第２フレキシブル回路基板１８０を載置してなる第２回路基板２１０の開口１８１，１９１内に第１回転体１３０を収納して第２基板支持体１９０の第１回転体載置部１９７上に第１回転体１３０の載置部１４１を載置する。次に第２基板支持体１９０の開口１９１の下面側に露出する第１回転体１３０の取付面１３９に第２基板支持体１９０の下面側からクリック板１５０のクリック基部１５１と摺動子１７０を載置し、その際第１回転体１３０の取付突起１４３をクリック板１５０の取付孔１５９と摺動子１７０の取付孔１７１に挿入し、それらの先端を熱かしめすることで取り付ける。これによって第１回転体１３０の載置部１４１とクリック板１５０によって第２基板支持体１９０を挟持することとなり、第１回転体１３０は第２回路基板２１０から外れなくなって、第１回転体１３０と第２回路基板２１０とクリック板１５０及び摺動子１７０は一体化され、また第１回転体１３０とクリック板１５０及び摺動子１７０は第２回路基板２１０に対して回動自在となる。このときクリック板１５０のクリック部１５５は第２基板支持体１９０の第１クリック弾接部１９３に弾接する。
【００３３】
そしてまず第１シャフト１０の下側に回転つまみ３０を配置し、その際第１シャフト１０の突部１５を回転つまみ３０の開口３５に挿入する。次に回転つまみ３０の下側にケース５０を配置し、その際回転つまみ３０の軸部３７をケース５０の軸支孔５３に挿入する。次にケース５０の下側に、コイルバネ３００とクリック用ボール２９０を弾発部材収納部６９に挿入した第２回転体６０を配置し、その際回転つまみ３０の軸部３７を第２回転体６０の軸支孔６３に挿入する。
【００３４】
次に回転つまみ３０の軸部３７の先端にクラッチ部材９０を配置し、その際回転つまみ３０の各取付部３９をクラッチ部材９０の各取付孔９７に挿入し、その先端を熱かしめすることで回転つまみ３０にクラッチ部材９０を取り付ける。このときクラッチ部材９０の挿通孔９１内に第１シャフト１０の突部１５の下端が露出している。次にクラッチ部材９０の下側に第２シャフト１１０を配置し、その際第１シャフト１０の係合部１７を第２シャフト１１０の被取付部１１９に挿入し、その先端を熱かしめして固定する。これによって第１シャフト１０と第２シャフト１１０が１つのシャフトとなる。
【００３５】
次に前記一体化されている第１回転体１３０と第２回路基板２１０とクリック板１５０及び摺動子１７０を、前記ケース５０等の下側に配置し、その際第２シャフト１１０の突部１１５を第１回転体１３０の貫通孔１３１に挿入し、同時にケース５０の各係止部５７を第２回路基板２１０の取付孔１８５，１９２に挿入し、その先端を熱かしめする。次に第１基板支持体２５０上に第１フレキシブル回路基板２３０を載置してなる第１回路基板２７０を用意し、第１基板支持体２５０の弾発手段収納部２５５にコイルバネ３２０と位置決め用ボール３１０を収納したものを、前記第２回路基板２１０等の下側に配置し、その際第２基板支持体１９０の各取付突起１９５を第１回路基板２７０の各取付孔２３５，２５３に挿入し、その先端を熱かしめする。これによって回転式電子部品１−１の組み立てが完了する。なお上記組立手順はその一例であり、他の各種異なる組立手順を用いて組み立てても良いことはいうまでもない。
【００３６】
図３は、回転つまみ３０等が下降して位置決め用ボール３１０が第２シャフト１１０の位置決め部１２１の上側に位置して安定している状態を示している。この位置を第１シャフト停止位置という。このときクラッチ部材９０の第１クラッチ部９５は第１回転体１３０の第１クラッチ係合部１３３に係合しており、一方クラッチ部材９０の第２クラッチ部９３は第２回転体６０の第２クラッチ係合部７１に係合していないので、回転つまみ３０を回転すると、これと一体に第１回転体１３０が回転し、クリック板１５０のクリック部１５５が第２基板支持体１９０の第１クリック弾接部１９３に弾接してクリック感触が得られると同時に、摺動子１７０が摺接パターン２３３上を摺接してその検出信号を変化する。
【００３７】
次に回転つまみ３０を図８に示すように引き上げれば、回転つまみ３０と一体にシャフト１０，１１０とクラッチ部材９０が引き上げられ、位置決め用ボール３１０が第２シャフト１１０の位置決め部１２１の下側に位置して安定する。この位置を第２シャフト停止位置という。このときクラッチ部材９０の第１クラッチ部９５と第１回転体１３０の第１クラッチ係合部１３３との係合が離脱し、一方クラッチ部材９０の第２クラッチ部９３と第２回転体６０の第２クラッチ係合部７１が係合するので、回転つまみ３０を回転すると、これと一体に第２回転体６０が回転し、クリック用ボール２９０がケース５０の第２クリック弾接部５９に弾接してクリック感触が得られると同時に、摺動子８０が摺接パターン１８３上を摺接してその検出信号を変化する。
【００３８】
以上説明したようにこの回転式電子部品１−１は、回転軸Ｌ方向に向かってスライド自在に設置されるシャフト１０，１１０と、シャフト１０，１１０に取り付けられ両面にそれぞれ第１，第２クラッチ部９５，９３を形成してなるクラッチ部材９０と、クラッチ部材９０の第１クラッチ部９５に対向する位置に第１クラッチ係合部１３３を設けてなる第１回転体１３０と、クラッチ部材９０の第２クラッチ部９３に対向する位置に第２クラッチ係合部７１を設けてなる第２回転体６０と、第１回転体１３０の回転に応じて検出出力を変化する第１検出手段（摺動子１７０と摺接パターン２３３）と、第２回転体６０の回転に応じて検出出力を変化する第２検出手段（摺動子８０と摺接パターン１８３）と、を具備し、シャフト１０，１１０を第１回転体１３０側にスライド移動した際は第１クラッチ部９５と第１クラッチ係合部１３３が係合して第１検出手段を操作可能とし、シャフト１０，１１０を第２回転体６０側にスライド移動した際は第２クラッチ部９３と第２クラッチ係合部７１が係合して第２検出手段を操作可能としている。そして第１検出手段（その摺接パターン２３３）を構成する第１回路基板２７０と第２検出手段（その摺接パターン１８３）を構成する第２回路基板２１０とを回転軸Ｌ方向に積層して配置すると共に、第１回転体１３０を第２回路基板２１０に設けた開口１８１，１９１内に設置しているので、回転式電子部品１−１の厚み方向の小型化を図ることができる。
【００３９】
またクラッチ部材９０の第１，第２クラッチ部９５，９３がそれぞれクラッチ部材９０の両面からその回転軸Ｌ方向に向かって形成されているので、第１，第２クラッチ部９５，９３及び第１，第２クラッチ係合部１３３，７１が径方向に向けて広がらず、このため回転式電子部品１−１の径方向の小型化を図ることができる。
【００４０】
またクラッチ部材９０の第１クラッチ部９５は、第２クラッチ部９３より径方向に対して内側に設けられているので、第１クラッチ部９５を小径に構成でき、これに係合する第１クラッチ係合部１３３を有する第１回転体１３０も小径化でき、さらに第１回転体１３０を内包する第２回路基板２１０もクラッチ部材９０の外径の大きさに左右されることなく小径化でき、これらのことから回転式電子部品１−１の径方向の小型化を図ることができる。
【００４１】
また第１クリック機構は、第２回路基板２１０の開口１８１，１９１の周囲の第１回路基板２７０に対向する側の面に設けた第１クリック弾接部１９３に、第１回転体１３０に取り付けたクリック板１５０のクリック部１５５を弾接させる構成なので、クリック機構を設置するための厚みを薄くできる。一方第２クリック機構は第２回転体６０を収納するケース５０の第２回転体６０に対向する側の面に設けられる第２クリック弾接部５９と、第２回転体６０に回転軸Ｌ方向に向かって弾発するように設置されるコイルバネ３００と、このコイルバネ３００によって弾発されて第２クリック弾接部５９に弾接されるクリック用ボール２９０とによって構成されており、即ちケース５０に設けた第２クリック弾接部５９に、回転軸Ｌ方向からコイルバネ３００によってクリック用ボール２９０を弾接する構造なので、そのクリック感触を第１クリック機構に比べてより好適な感触にすることができる。しかも第２クリック機構は上下動するクラッチ部材９０のために必要なストロークの範囲内に収めることができるので、第２クリック機構を設置することによって厚みが増加することもない。
【００４２】
またシャフト１０，１１０は第１回路基板２７０に設けた開口部２３１，２５１内に挿入するとともに挿入したシャフト１０，１１０の外周に回転軸Ｌ方向に向かって延伸され且つ径方向に向かって突出する位置決め部１２１を設け、この位置決め部１２１にその外周側から位置決め用ボール３１０を弾接させることで、第１シャフト停止位置と第２シャフト停止位置にシャフトを停止保持させるようにしたので、シャフト１０，１１０のストローク分だけ離れた位置にある第１，第２シャフト停止位置に確実にシャフト１０，１１０を停止保持させることができる。
【００４３】
さらにクラッチ部材９０と第１回転体１３０と第２回転体６０の内部を中空としたので、中空とした部分に別の部品を収納することができる。なお第１シャフト１０の上面板１１の上に液晶表示板（機能部品）を取り付け、この液晶表示板から引き出される配線（機能部品）を第１シャフト１０の開口１３と第２シャフト１１０の開口１１３を通して第２シャフト１１０の下部から外部に引き出すこともできる。第２シャフト１１０の突出部１１７の部分（Ｔ字の縦棒の部分）を回転止めとして図示しない静止側部材に係止すれば、これが回り止めとなってシャフト１０，１１０を回転しないように設置できるので、配線がねじれることはない。
【００４４】
〔第２実施形態〕
図９は本発明の第２実施形態にかかる回転式電子部品１−２の斜視図、図１０は回転式電子部品１−２を下側から見た斜視図、図１１は図９のＢ−Ｂ概略断面図、図１２は回転式電子部品１−２の上側の部品を示す分解斜視図、図１３は回転式電子部品１−２の下側の部品を示す分解斜視図、図１４は回転式電子部品１−２を下側から見たときの上側の部品を示す分解斜視図、図１５は回転式電子部品１−２を下側から見たときの下側の部品を示す分解斜視図である。なお図１１における各部品の断面の位置は図示の都合上異なっている部分がある。また以下の説明において、「上」とは第１回路基板６３０から第２回路基板５１０を見る方向をいい、「下」とはその反対方向をいうものとする。
【００４５】
これらの図に示すように回転式電子部品１−２は、シャフト（以下「回転つまみ兼用シャフト」という）４１０と、ケース４３０と、第２回転体４５０と、第２検出手段となる摺動子４７０と、３つの位置決め部材４９０と、クラッチ部材５１０と、第２回路基板５７０を構成する第２フレキシブル回路基板５３０及び第２基板支持体５５０と、第１回転体５９０と、クリック弾接体（以下「クリック板」という）６１０と、第１検出手段となる摺動子６３０と、第１回路基板６９０を構成する第１フレキシブル回路基板６５０及び第１基板支持体６７０と、第２回転体４５０に設置されるクリック体（以下「クリック用ボール」という）７１０及び弾発手段（以下「コイルバネ」という）７３０と、を具備して構成されている。
【００４６】
回転つまみ兼用シャフト４１０は合成樹脂製であり、円板状の上面板４１１の周囲に筒状の側壁部４１３を設け、また上面板４１１の中央に開口４１５を設け、上面板４１１の下面の開口４１５の周囲から下方に向けて筒状の軸部４１７を設け、軸部４１７の下端辺に５つの小突起からなる取付部４１９を設けて構成されている。上面板４１１の上部は、側壁部４１３の上部によって囲まれる凹部４２１となっている。
【００４７】
ケース４３０は合成樹脂製であり、円板状の上面板４３１の中央に軸支孔４３３を設け、上面板４３１の周囲に筒状の側壁部４３５を設け、側壁部４３５の下端辺に４つの小突起からなる係止部４３７を設け、上面板４３１の下面の軸支孔４３３の周囲にリング状に多数の凹凸からなる第２クリック弾接部４３９を設けて構成されている。
【００４８】
第２回転体４５０は合成樹脂製であり、円板状の上面板４５１の中央に軸支孔４５３を設け、上面板４５１の周囲に筒状の側壁部４５５を設け、また側壁部４５５の内周面の一部を突出してその下面に摺動子取付部４５７を設け、また上面板４５１の上面の外周近傍の所定位置に円形有底の穴からなる弾発部材収納部４５９を設けて構成されている。さらに上面板４５１の軸支孔４５３の内周辺には、多数の同一形状の凹凸を全周に形成してなる第２クラッチ係合部４６１が形成されている。上面板４５１の下面には等間隔に３つ（図１４では２つのみ示す）の小突起からなる位置決め部材取付突起４６３が設けられている。また摺動子取付部４５７には２つの小突起４６５が設けられている。
【００４９】
摺動子４７０は弾性金属板製であり、基部４７１と基部の１辺から突出して基部４７１の下面側に折り曲げられる一対の摺動接点４７３とを有し、また基部４７１に２つの小孔４７５を形成して構成されている。摺動子４７０は下記する摺接パターン５３３とともに第２検出手段を構成する。
【００５０】
位置決め部材４９０は弾性金属板製であり、略Ｌ字状に形成された弾性金属板の屈曲部分を折り曲げて、一方を水平方向を向くように設置される取付部４９１とし、他方を垂直方向（回転軸Ｌ方向）を向く当接部４９３として構成されている。取付部４９１には前記第２回転体４５０の位置決め部材取付突起４６３を挿入する係止孔４９５が設けられている。当接部４９３は略垂直下方向、つまり回転軸Ｌ方向に向かって帯状に延びており、その中間部分を径方向内側に向かって突出する１つの略円弧状に形成することで位置決め部４９７としている。
【００５１】
クラッチ部材５１０は合成樹脂の成形品であり、円板状であってその中央に円形の貫通孔からなる挿通孔５１１を設け、またその上面の外周近傍部分には全周にわたって等間隔に５つの突起からなる第２クラッチ部５１３が設けられ、一方その下面の外周よりも少し径方向内側位置には全周にわたって等間隔に５つの突起からなる第１クラッチ部５１５が設けられ、また前記各第２クラッチ部５１３の径方向内側位置には矩形状の貫通孔からなる取付孔５１７が設けられている。つまり第１クラッチ部５１５は第２クラッチ部５１３より径方向に対して内側に設けられている。さらにクラッチ部材５１０の外周部（外周面）は位置決め用弾接部５１９となっている。位置決め用弾接部５１９の上下の円周辺は円弧状の大きな面取りが行われている。
【００５２】
第２フレキシブル回路基板５３０は合成樹脂フイルムを略円板状に形成し、中央に開口５３１を設け、その上面の開口５３１の周囲に摺接パターン５３３を設け、さらに所定の４か所に矩形状の取付孔５３５を設けて構成されている。摺接パターン５３３には前記摺動子４７０の摺動接点４７３が摺接する。取付孔５３５には前記ケース４３０の係止部４３７が挿入される。
【００５３】
第２基板支持体５５０は合成樹脂製の円板であり、中央に円形の開口５５１を設け、また前記第２フレキシブル回路基板５３０の各取付孔５３５に対向する位置に同一形状の取付孔５５２を設け、またその下面の開口５５１の周囲にこれを囲むようにリング状に第１クリック弾接部５５３を設け、またその下面の第１クリック弾接部５５３の周囲の位置に等間隔に４つの小突起状の取付突起５５５を設けて構成されている。
【００５４】
第１回転体５９０は合成樹脂製であって略円板状に形成され、その中央に貫通孔５９１を形成し、その上面の外周近傍位置に等間隔に複数の突部からなる第１クラッチ係合部５９３を形成し、また上面の第１クラッチ係合部５９３の内側部分に凹部５９５を設け、またその下面を取付面５９９として構成されている。第１クラッチ係合部５９３は径方向に向かって放射状で直線状に形成され、前記クラッチ部材５１０の第１クラッチ部５１５に対向する位置にこれとかみ合うように形成されている。取付面５９９には２つずつ３組の小突起からなる取付突起６０１が設けられている。
【００５５】
クリック板６１０は弾性金属板製であり、前記第１回転体５９０の下面の取付面５９９に取り付けられるクリック基部６１１と、クリック基部６１１の外周を囲む位置に設置される一対の円弧状のアーム部６１３とを具備して構成されている。アーム部６１３の両端はクリック基部６１１の外周に接続されており、また両アーム部６１３の中央には上方向に向かって突出するように湾曲するクリック部６１５が設けられている。クリック基部６１１の中央には円形の貫通孔６１７が設けられ、またクリック基部６１１中の前記第１回転体５９０の各取付突起６０１に対向する位置には小孔からなる取付孔６１９が形成されている。
【００５６】
摺動子６３０は弾性金属板製でありリング状に形成され、等間隔の３か所には小孔からなる取付孔６３１が設けられ、また等間隔の３か所には摺接部６３３が設けられている。摺動子６３０は下記する第１フレキシブル回路基板６５０の摺接パターン６５３とともに第１検出手段を構成する。
【００５７】
第１フレキシブル回路基板６５０は合成樹脂フイルムを略円板状に形成し、中央に開口部６５１を設け、その上面の開口部６５１の周囲に摺接パターン６５３を設け、さらに前記第２基板支持体５５０の取付突起５５５に対向する位置にそれぞれ取付孔６５５を設けて構成されている。摺接パターン６５３には前記摺動子６３０の摺接部６３３が摺接する。
【００５８】
第１基板支持体６７０は合成樹脂製の円板であり、中央に円形の開口部６７１を設け、また前記第１フレキシブル回路基板６５０の各取付孔６５５に対向する位置にこれと同じ形状の取付孔６７３を設け、またその上面の開口部６７１の周囲を囲む位置に筒状の第１回転体支持部６７５を設けて構成されている。
【００５９】
クリック用ボール７１０は金属球であり、またコイルバネ７３０はこれを弾発するものである。
【００６０】
回転式電子部品１−２を組み立てるには、まず予め第２回転体４５０の摺動子取付部４５７に摺動子４７０を載置し、その際第２回転体４５０の小突起４６５を摺動子４７０の小孔４７５に挿入し、少なくとも一方の小突起４６５を熱かしめして取り付ける。同時に第２回転体４５０の上面４５１の下面に、３つの位置決め部材４９０の取付部４９１を当接し、その際第２回転体４５０の各位置決め部材取付突起４６３を位置決め部材４９０の係止孔４９５に挿入してその先端を熱かしめして取り付ける。一方第１回転体５９０の取付面５９９にクリック板６１０のクリック基部６１１と摺動子６３０を載置し、その際第１回転体５９０の取付突起６０１をクリック板６１０の取付孔６１９と摺動子６３０の取付孔６３１に挿入し、それらの先端を熱かしめすることで取り付ける。
【００６１】
そしてまず回転つまみ兼用シャフト４１０の下側にケース４３０を配置し、その際回転つまみ兼用シャフト４１０の軸部４１７をケース４３０の軸支孔４３３に挿入する。次にケース４３０の下側に、コイルバネ７３０とクリック用ボール７１０を弾発部材収納部４５９に挿入した第２回転体４５０を配置し、その際回転つまみ兼用シャフト４１０の軸部４１７を第２回転体４５０の軸支孔４５３に挿入する。
【００６２】
次に回転つまみ兼用シャフト４１０の軸部４１７の先端にクラッチ部材５１０を配置し、その際回転つまみ兼用シャフト４１０の各取付部４１９をクラッチ部材５１０の各取付孔５１７に挿入し、その先端を熱かしめすることで回転つまみ兼用シャフト４１０にクラッチ部材５１０を取り付ける。
【００６３】
次に前記ケース４３０等の下側に、第２基板支持体５５０上に第２フレキシブル回路基板５３０を載置してなる第２回路基板５７０を配置し、その際ケース４３０の係止部４３７を第２回路基板５７０の取付孔５３５，５５２に挿入し、その先端を熱かしめして取り付ける。
【００６４】
次に第２基板支持体５５０の開口５５１にその下側から、前記クリック板６１０と摺動子６３０を取り付けた第１回転体５９０を挿入しさらにその下側に、第１基板支持体６７０上に第１フレキシブル回路基板６５０を載置してなる第１回路基板６９０を配置し、その際第２基板支持体５５０の各取付突起５５５を第１回路基板６９０の各取付孔６５５，６７３に挿入し、その先端を熱かしめする。これによって第１回転体５９０は第１基板支持体６７０の第１回転体支持部６７５によってその下側から支持される。同時にクリック板６１０のクリック部６１５は第２基板支持体５５０の第１クリック弾接部５５３に弾接する。これによって回転式電子部品１−２の組み立てが完了する。なお上記組立手順はその一例であり、他の各種異なる組立手順を用いて組み立てても良いことはいうまでもない。
【００６５】
図１１は、回転つまみ兼用シャフト４１０等が下降してクラッチ部材５１０の位置決め用弾接部５１９が位置決め部材４９０の位置決め部４９７の下側に位置して安定している状態を示している。この位置を第１シャフト停止位置という。このときクラッチ部材５１０の第１クラッチ部５１５が第１回転体５９０の第１クラッチ係合部５９３に係合しており、一方クラッチ部材５１０の第２クラッチ部５１３は第２回転体４５０の第２クラッチ係合部４６１に係合していないので、回転つまみ兼用シャフト４１０を回転すると、これと一体に第１回転体５９０が回転し、クリック板６１０のクリック部６１５が第２基板支持体５５０の第１クリック弾接部５５３に弾接してクリック感触が得られると同時に、摺動子６３０が摺接パターン６５３上を摺接してその検出信号を変化する。
【００６６】
次に回転つまみ兼用シャフト４１０を引き上げれば、回転つまみ兼用シャフト４１０と一体にクラッチ部材５１０が引き上げられ、位置決め用弾接部５１９が位置決め部材４９０の位置決め部４９７を乗り越えてその上側に位置して安定する。この位置を第２シャフト停止位置という。このときクラッチ部材５１０の第１クラッチ部５１５と第１回転体５９０の第１クラッチ係合部５９３との係合が離脱し、一方クラッチ部材５１０の第２クラッチ部５１３と第２回転体４５０の第２クラッチ係合部４６１が係合するので、回転つまみ兼用シャフト４１０を回転すると、これと一体に第２回転体４５０が回転し、クリック用ボール７１０がケース４３０の第２クリック弾接部４３９に弾接してクリック感触が得られると同時に、摺動子４７０が摺接パターン５３３上を摺接してその検出信号を変化する。
【００６７】
以上説明したようにこの回転式電子部品１−２は、回転軸Ｌ方向に向かってスライド自在に設置される回転つまみ兼用シャフト４１０と、回転つまみ兼用シャフト４１０に取り付けられ両面にそれぞれ第１，第２クラッチ部５１５，５１３を形成してなるクラッチ部材５１０と、クラッチ部材５１０の第１クラッチ部５１５に対向する位置に第１クラッチ係合部５９３を設けてなる第１回転体５９０と、クラッチ部材５１０の第２クラッチ部５１３に対向する位置に第２クラッチ係合部４６１を設けてなる第２回転体４５０と、第１回転体５９０の回転に応じて検出出力を変化する第１検出手段（摺動子６３０と摺接パターン６５３）と、第２回転体４５０の回転に応じて検出出力を変化する第２検出手段（摺動子４７０と摺接パターン５３３）と、を具備し、回転つまみ兼用シャフト４１０を第１回転体５９０側にスライド移動した際は第１クラッチ部５１５と第１クラッチ係合部５９３が係合して第１検出手段を操作可能とし、回転つまみ兼用シャフト４１０を第２回転体４５０側にスライド移動した際は第２クラッチ部５１３と第２クラッチ係合部４６１が係合して第２検出手段を操作可能としている。そして第１検出手段（その摺接パターン６５３）を構成する第１回路基板６９０と第２検出手段（その摺接パターン５３３）を構成する第２回路基板５７０とを回転軸Ｌ方向に積層して配置すると共に、第１回転体５９０を第２回路基板５７０に設けた開口５３１，５５１内に設置しているので、回転式電子部品１−２の厚み方向の小型化を図ることができる。
【００６８】
またクラッチ部材５１０の第１，第２クラッチ部５１５，５１３がそれぞれクラッチ部材５１０の両面からその回転軸Ｌ方向に向かって形成されているので、第１，第２クラッチ部５１５，５１３及び第１，第２クラッチ係合部５９３，４６１が径方向に向けて広がらず、このため回転式電子部品１−２の径方向の小型化を図ることができる。
【００６９】
またクラッチ部材５１０の第１クラッチ部５１５は、第２クラッチ部５１３より径方向に対して内側に設けられているので、第１クラッチ部５１５を小径に構成でき、これに係合する第１クラッチ係合部５９３を有する第１回転体５９０も小径化でき、さらに第１回転体５９０を内包する第２回路基板５７０もクラッチ部材５１０の外径の大きさに左右されることなく小径化でき、これらのことから回転式電子部品１−２の径方向の小型化を図ることができる。
【００７０】
また第１クリック機構は、第２回路基板５７０の開口５３１，５５１の周囲の第１回路基板６９０に対向する側の面に設けた第１クリック弾接部５５３に、第１回転体５９０に取り付けたクリック板６１０のクリック部６１５を弾接させる構成なので、クリック機構を設置するための厚みを薄くできる。一方第２クリック機構は、第２回転体４５０を収納するケース４３０の第２回転体４５０に対向する側の面に設けられる第２クリック弾接部４３９と、第２回転体４５０に回転軸Ｌ方向に向かって弾発するように設置されるコイルバネ７３０と、このコイルバネ７３０によって弾発されて第２クリック弾接部４３９に弾接されるクリック用ボール７１０とによって構成されており、即ちケース４３０に設けた第２クリック弾接部４３９に、回転軸Ｌ方向からコイルバネ７３０によってクリック用ボール７１０を弾接する構造なので、そのクリック感触を第１クリック機構に比べてより好適な感触にすることができる。しかも第２クリック機構は上下動するクラッチ部材５１０のために必要なストロークの範囲内に収めることができるので、第２クリック機構を設置することによって厚みが増加することもない。
【００７１】
またクラッチ部材５１０の外周部を位置決め用弾接部５１９とし、且つ第２回転体４５０と第２回路基板５７０の間に回転軸Ｌ方向に向かって延伸され且つ半径方向に向かって突出して位置決め用弾接部５１９に弾接する弾性部材からなる位置決め部材４９０を設置することで、第１シャフト停止位置と第２シャフト停止位置に回転つまみ兼用シャフト４１０を停止保持させるようにしたので、回転つまみ兼用シャフト４１０のストローク分だけ離れた位置にある第１，第２シャフト停止位置に確実に回転つまみ兼用シャフト４１０を停止保持させることができる。
【００７２】
さらにクラッチ部材５１０と第１回転体５９０と第２回転体４５０の内部を中空としたので、中空とした部分に別の部品を収納することができる。なお例えば回転つまみ兼用シャフト４１０の上面板４１１の上に液晶表示板（機能部品）を取り付け、この液晶表示板から引き出される配線（機能部品）を回転つまみ兼用シャフト４１０の開口４１５とクラッチ部材５１０の挿通孔５１１と第１回転体５９０の貫通孔５９１と第１回路基板６９０の開口部６５１，６７１を通して第１回路基板６９０の下部から外部に引き出すこともできる。
【００７３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記各実施形態例では中央に他の部品を設置するために中空としたが、その必要がないような場合は中空としなくても良い。また第１，第２回路基板は、上記実施形態のように第１，第２基板支持体上に第１，第２フレキシブル回路基板を載置する構造の代りに、硬質基板上に直接摺接パターンを形成する構成でも良い。
【符号の説明】
【００７４】
Ｌ  回転軸
１０  第１シャフト
３０  回転つまみ
５０  ケース
５９  第２クリック弾接部
６０  第２回転体
７１  第２クラッチ係合部
８０  摺動子（第２検出手段）
９０  クラッチ部材
９３  第２クラッチ部
９５  第１クラッチ部
１１０  第２シャフト
１１９  位置決め部
１３０  第１回転体
１３３  第１クラッチ係合部
１５０  クリック板（クリック弾接体）
１５５  クリック部
１７０  摺動子（第１検出手段）
１８０  第２フレキシブル回路基板
１８１  開口
１８３  摺接パターン（第２検出手段）
１９０  第２基板支持体
１９１  開口
１９３  第１クリック弾接部
２１０  第２回路基板
２３０  第１フレキシブル回路基板
２３１  開口部
２３３  摺接パターン（第１検出手段）
２５０  第１基板支持体
２５１  開口部
２７０  第１回路基板
２９０  クリック用ボール（クリック体）
３００  コイルバネ（弾発手段）
３１０  位置決めボール（位置決め用弾発手段）
３２０  コイルバネ（弾発部材）
【図１】
0005731371.tif 000002
【図２】
0005731371.tif 000003
【図３】
0005731371.tif 000004
【図４】
0005731371.tif 000005
【図５】
0005731371.tif 000006
【図６】
0005731371.tif 000007
【図７】
0005731371.tif 000008
【図８】
0005731371.tif 000009
【図９】
0005731371.tif 000010
【図１０】
0005731371.tif 000011
【図１１】
0005731371.tif 000012
【図１２】
0005731371.tif 000013
【図１３】
0005731371.tif 000014
【図１４】
0005731371.tif 000015
【図１５】
0005731371.tif 000016